(57)【要約】【課題】ＩＣタグにデータを書き込むことが容易な強制書込み可能なＩＣタグ群を提供する。【解決手段】  信号ケーブル１４と、この信号ケーブルに、所定間隔を置いて配列されてそれぞれデータ書き換え用端子を介して並列接続された複数のＩＣタグ１２とを備えている。信号ケーブル１４として、少なくとも２本の芯線を有するフラットケーブルが使用される。信号ケーブル１４に沿って複数のＩＣタグを、それぞれ所定の間隔で電気接続している。信号ケーブル１４は、ＩＣタグ１２のデータ書き換え専用線である。このようにされた強制書込み可能なＩＣタグ群は、ケーブル等に縦添えされたり巻き付けられて使用される。【選択図】図１
2006048255.tif 000002
【特許請求の範囲】
【請求項１】
少なくとも２本の芯線を有する信号ケーブルと、
前記信号ケーブルに、所定間隔を置いて配列されてそれぞれデータ書き換え用端子を介して並列接続された複数のＩＣタグとを備えたことを特徴とする強制書込み可能なＩＣタグ群。
【請求項２】
請求項１記載の強制書込み可能なＩＣタグ群において、
前記信号ケーブルとして、複数の芯線を平型に配列してなるフラットケーブルが使用され、前記複数のＩＣタグを、それぞれ所定の間隔で前記芯線に電気接続したものであることを特徴とする強制書込み可能なＩＣタグ群。
【請求項３】
請求項２記載の強制書込み可能なＩＣタグ群において、
前記ＩＣタグに接続され、かつフラットケーブルに縦添えされたアンテナを備えたことを特徴とする強制書込み可能なＩＣタグ群。
【発明の詳細な説明】
【技術分野】
【０００１】
本発明は、ＩＣタグのデータ書き換えを容易にする強制書込み可能なＩＣタグ群に関する。
【背景技術】
【０００２】
ケーブル絶縁体表面あるいは絶縁体中に、識別情報を記録できるＩＣタグを配設した識別情報付きケーブルは公知である。ＩＣタグにはケーブル製造者、製造年月日、規格等の情報が記録され、ケーブルの保守管理に利用している（特許文献１参照）。
【０００３】
ＩＣタグは、メモリに記録したデータを無線で読み取ることができるから、例えば、布設したケーブルにＩＣタグを取り付けておくと、その構造やその他の情報をいつでも無線で読み取れる。
【０００４】
一方、例えば、そのＩＣタグからケーブル布設ルートや布設工事に関する情報を読み取りたいというような場合、ケーブル製造時ではなく、ケーブル布設工事時に工事情報を記録したＩＣタグをケーブルに取り付けなければならない。また、ケーブルに取り付けたＩＣタグにデータを書き込まなければならない。
【特許文献１】特開２００３−２０３５２７号公報
【発明の開示】
【発明が解決しようとする課題】
【０００５】
しかしながら、ケーブル布設工事時に、工事情報が記録されたＩＣタグをケーブルに取り付けようとすると、そのための作業が増えて、工事が煩雑になる。
また、ケーブルに取り付けたＩＣタグにデータを書き込むには特殊な装置が必要になり、また、ケーブルに複数のタグを取り付けたときは、データ書き込み作業も煩雑になる。
【０００６】
本発明は、以上の課題を解決するためになされたもので、ＩＣタグにデータを書き込むことが容易な強制書込み可能なＩＣタグ群を提供することを目的とする。
【課題を解決するための手段】
【０００７】
本発明の各実施例においては、それぞれ次のような構成により上記の課題を解決する。
〈構成１〉
少なくとも２本の芯線を有する信号ケーブルと、上記信号ケーブルに、所定間隔を置いて配列されてそれぞれデータ書き換え用端子を介して並列接続された複数のＩＣタグとを備えたことを特徴とする強制書込み可能なＩＣタグ群。
【０００８】
構成１の発明は、例えば、電力ケーブル、通信ケーブル等のケーブルの外側に、縦添えされたり巻き付けられて使用される。信号ケーブルは、ＩＣタグのデータ書き換え専用線であり、ケーブルに縦添えされて布設された後に、ＩＣタグに必要な情報を入力するために使われる。書き換えられるＩＣタグのデータとしては、例えば、ケーブル番号、布設日、布設ルート、工事記録等の工事情報がある。
各ＩＣタグのメモリに記録された情報の読み出しには、通常どおり、電波を使用する情報読取り装置を使って任意の場所でケーブルに関する情報を取得できる。
また、データ書き換え用の専用線が接続されているので、いつでもＩＣタグのデータを、ケーブルの端末等がある場所で簡単に書き換えできる。構成１のＩＣタグ群は、ケーブル以外の長尺物に添えられて使用されてもよい。
【０００９】
〈構成２〉
構成１記載の強制書込み可能なＩＣタグ群において、上記信号ケーブルとして、複数の芯線を平型に配列してなるフラットケーブルが使用され、上記複数のＩＣタグを、それぞれ所定の間隔で上記芯線に電気接続したものであることを特徴とする強制書込み可能なＩＣタグ群。
【００１０】
常用されているフラットケーブルを信号ケーブルとして用いることにより、安価に構成することができ、しかも安定した取付けができる。
【００１１】
〈構成３〉
構成２記載の強制書込み可能なＩＣタグ群において、上記ＩＣタグに接続され、かつフラットケーブルに縦添えされたアンテナを備えたことを特徴とする強制書込み可能なＩＣタグ群。
【００１２】
ＩＣタグに接続されたアンテナにより、ＩＣタグに記録された情報の読み出しが容易である。
【発明を実施するための最良の形態】
【００１３】
以下、本発明の実施の形態を実施例により説明する。
【実施例１】
【００１４】
図１は、実施例１の強制書込み可能なＩＣタグ群の説明図、図２はそのＩＣタグ群の一部を示したブロック図である。
実施例１の強制書込み可能なＩＣタグ群は、図１に示すように、複数のＩＣタグ１２と、これらのＩＣタグ１２を、それぞれデータ書き換え用端子を介して並列接続した信号ケーブル１４とを備えたものである。信号ケーブル１４は、少なくとも２本の芯線を有するケーブルである。
【００１５】
ＩＣタグ１２は、図２に示すように、受信機１６、送信機１８及びそれらのアンテナ２０を含む、周知のものである。ＩＣタグ１２には送信機１８に接続されたメモリ２２とインタフェース２４が設けられている。受信機１６は、アンテナ２０を通じて受信した問い合わせ信号により送信機１８を起動する機能を持つ。送信機１８は、メモリ２２に記録した情報をアンテナ２０を通じて送信する機能を持つ。この送信された信号が応答信号である。
【００１６】
ＩＣタグ１２は、インタフェース２４のデータ書き換え用端子を介して信号ケーブル１４に接続されている。複数の各ＩＣタグ１２は、１本の信号ケーブル１４に所定間隔を置いて並列接続されている。
【００１７】
図３は、実施例１の強制書込み可能なＩＣタグ群の具体例を示した説明図である。
図３に示したものは、信号ケーブル１４として、複数本の芯線２６を平型に配列してなるフラットケーブルを使用したものである。複数のＩＣタグ１２は、フラットケーブル１４の一面に、長さ方向に沿って所定間隔を置いて配列され、それぞれデータ書き換え用端子を介して芯線２６に並列接続されている。必要に応じて、これらのＩＣタグ１２のアンテナ２８をフラットケーブル１４に縦添えしてもよい。アンテナ２８は、ＩＣタグ１２に接続されている。このアンテナ２８により、ＩＣタグ１２に記録された情報の読み出しが容易になる。
【００１８】
図４は実施例１の強制書込み可能なＩＣタグ群の使用説明図、図５は同ＩＣタグ群の他の使用説明図である。
この強制書込み可能なＩＣタグ群は、図４に示すように、例えば、電力ケーブル、通信ケーブル等のケーブル３０の外側に縦添えされて使用される。あるいは、図５に示すように、ケーブル３０の外側に巻き付けられて使用される。また、ケーブル３０の芯線２６に混じって撚り合わされる。あるいは、遮蔽層の外側に縦添えされて、シースを被覆される。
【００１９】
信号ケーブル１４は、ＩＣタグ１２のデータ書き換え専用線であり、ケーブル３０に縦添えされて布設された後に、ＩＣタグ１２に必要な情報を入力するために使われる。書き換えられるＩＣタグ１２のデータとしては、例えば、ケーブル番号、布設日、布設ルート、工事記録等の工事情報がある。
【００２０】
布設されたケーブル３０の端末に、信号ケーブル１４の端が出ていれば、ケーブル布設後にＩＣタグ１２に工事情報を書き込むことができる。例えば、この信号ケーブル１４に一斉に一定のデータを供給して、すべてのＩＣタグ１２中のメモリのデータを一括して書き換えることができる。あるいは、信号ケーブル１４を通じてＩＣタグ１２のアドレスを供給して、各ＩＣタグ１２のデータを個別に順次書き換えることができる。
【００２１】
各ＩＣタグ１２のメモリに記録された情報の読み出しには、通常どおり、電波を使用する。しかし、信号ケーブル１４を、ＩＣタグ１２のデータ書き換えだけでなく、データ読み出しに使用しても構わない。また、データ書き換え用の専用線が接続されているので、いつでもＩＣタグ１２のデータを、ケーブルの端末等がある場所で簡単に書き換えできる。
【００２２】
図６は、信号ケーブル１４に装着されたＩＣタグ１２と情報読取り装置３２の説明図である。
図６において、情報読取り装置３２は、信号ケーブル１４に装着されたＩＣタグ１２に対し、問い合わせ信号３６を送信する機能を持つ。送信機４０は、この問い合わせ信号３６を送信する。ＩＣタグ１２の受信機１６で問い合わせ信号３６を受信すると、送信機１８が動作し、工事情報を含む応答信号３４を送信する。
【００２３】
情報読取り装置３２の受信機３８は、信号ケーブル１４のＩＣタグ１２から送信された応答信号３４を受信し、これを制御装置４６に送り込む。制御装置４６は、メモリ４４に入力された工事情報等の内容をディスプレイ５０に表示する。ディスプレイ５０は、情報読取り装置３２に取り付けられた液晶表示装置などからなる。
【００２４】
また、読取りの結果は、様々な付属情報と共に、記憶装置４８に記憶される。すなわち、記憶装置４８には、すべてのＩＣタグ１２から受信した応答信号３４やメモリ４４に入力された工事情報等の内容が記憶される。この情報は、後で様々な解析に利用できる。
【図面の簡単な説明】
【００２５】
【図１】実施例１の強制書込み可能なＩＣタグ群の説明図である。
【図２】ＩＣタグ群の一部を示したブロック図である。
【図３】実施例１の強制書込み可能なＩＣタグ群の具体例を示した説明図である。
【図４】実施例１の強制書込み可能なＩＣタグ群の使用説明図である。
【図５】実施例１の強制書込み可能なＩＣタグ群の他の使用説明図である。
【図６】信号ケーブルに装着されたＩＣタグと情報読取り装置の説明図である。
【符号の説明】
【００２６】
１２  ＩＣタグ
１４  信号ケーブル
１６  受信機
１８  送信機
２０  アンテナ
２２  メモリ
２４  インタフェース
２６  芯線
２８  アンテナ
３０  ケーブル
３２  情報読取り装置
３４  応答信号
３６  問い合わせ信号
【図１】
2006048255.tif 000003
【図２】
2006048255.tif 000004
【図３】
2006048255.tif 000005
【図４】
2006048255.tif 000006
【図５】
2006048255.tif 000007
【図６】
2006048255.tif 000008